【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】  再閉鎖可能な梱包の形成・充填・シール方法において、この方法が、
充填ステーションに向かって、更に移動方向において該充填ステーションから離れるようにベースフィルムを移動する手順と、
充填ステーションにおいて、該ベースフィルム上に第１の製品を設置する手順と、
スライダが取り付けられた状態の第１のジッパーを移動方向において、該ベースフィルム上に供給する手順であって、該ジッパーが第１のプロファイルと、該第１のプロファイルに係合可能な第２のプロファイルとを有しており、該プロファイルの各々はそれに取り付けられていて該スライダから離れて伸張するウェッブを有する、供給する手順と、
該ベースフィルム上にトップフィルムを適用する手順と、
該第１のプロファイルウェッブを該ベースフィルムにシールし、該第２のプロファイルウェッブを該トップフィルムにシールする手順と、
該製品の対向する側部において前記ベースフィルムの移動方向に横の方向で、該ベースフィルムと該トップフィルムを共にクロスシールし、更に該製品を隣接するクロスシール間に捕獲する手順と、更に
該製品の該対向する側部において該共にシールされたベースフィルムとトップフィルムを横方向に切断する手順と、
を具備する方法。
【請求項２】  該第１のプロファイルウェッブは、第１のシールステーションにおいて該ベースフィルムにシールされており、該第２のプロファイルウェッブは第２のシールステーションにおいて該トップフィルムにシールされる請求項１に記載の方法。
【請求項３】  該ベースフィルム及びトップフィルムは、対向する長手方向の角部を有する共通のシートの隣接する部分を具備しており、更に
該ベースフィルム上に該トップフィルムを配置するために、該角部間で長手方向に該共通のシートを折りたたむ手順を更に具備する請求項１に記載の方法。
【請求項４】  該ジッパーは、該折り目内に配置されており、
更に該対向する長手方向の角部を共にシールして該梱包のための底部を形成する手順を更に具備する請求項３に記載の方法。
【請求項５】  該ジッパーは、該長手方向の角部間に配置されており、更に
該折り目は該梱包のための底部を形成する請求項３に記載の方法。
【請求項６】  該ベースフィルムは、熱成形材料を具備しており、更に
該ベースフィルムが該充填ステーションに向かって移動する際に、該ベースフィルム内に隣接するポケットを熱成形する手順を更に具備する請求項１に記載の方法。
【請求項７】  スライダ適用機に向かってジッパーを供給する手順と、
該ジッパーの第１と第２のプロファイルを共に、梱包の長さ間隔で押圧する手順と、更に
該スライダ適用機において、スライダを隣接するストンプ間で該ジッパーに適用する手順と、
を更に具備する請求項１に記載の方法。
【請求項８】  該第１のプロファイルが該ベースフィルムに取り付けられ、該第２のプロファイルが該トップフィルムに取り付けられた後に、梱包の長さ間隔の位置において、該第１のプロファイルを該ベースフィルムに対して折り目を入れる手順を更に具備する請求項１に記載の方法。
【請求項９】  該クロスシールは、該折り目を付ける位置を通り実施される請求項８に記載の方法。
【請求項１０】  前記ジッパーの第１のプロファイルウェッブが前記ベースフィルムに取り付けられた後で、ジッパーの閉鎖位置にスライダを動かす別の手順を具備する請求項１に記載の方法。
【請求項１１】  該ジッパーの移動は間欠的に停止され、該ジッパーの移動が停止された時に、該スライダ適用機はスライダを該ジッパーに適用しており、
該スライダ適用機の下流の該ジッパーをダンサローラー装置に間欠的に供給し、その後、ベースフィルムの移動と同時に、該ダンサローラー装置から該ベースフィルムに該ジッパーを連続的に供給する手順を更に具備する請求項７に記載の方法。
【請求項１２】  該ジッパーは該ベースフィルムに対して連続的に移動しており、更に
該スライダ適用機がスライダを該ジッパーに適用する際に、該スライダ適用機を往復動して動かす手順を更に具備する請求項７に記載の方法。
【請求項１３】  該スライダの外側で且つ該ジッパーに平行なシール線に沿って該トップフィルムに対して該ベースフィルムをシールする別の手順を具備する請求項１に記載の方法。
【請求項１４】  該第１の製品の横に隣接して該ベースフィルム上に第２の製品を供給する手順と、
スライダが取り付けられた状態の第２のジッパーを移動方向において、該第１のジッパーから梱包の深さで離れていてそれに平行な該ベースフィルム上に供給する手順であって、該第２のジッパーが第１のプロファイルと該第１のプロファイルに係合可能な第２のプロファイルとを有しており、該プロファイルの各々はそれに取り付けられていて該スライダから離れて伸張するウェッブを有する、供給する手順と、
該第２のジッパーの第１のプロファイルウェッブを該ベースフィルムにシールし、該第２のプロファイルウェッブを該トップフィルムにシールする手順と、
該第２のジッパーの外側で且つ該第２のジッパーに平行なシール線に沿って該ベースフィルムに該トップフィルムをシールする手順と、
該平行なシール線と該第２のジッパー間で該ベースフィルムが移動する方向において、該ベースフィルムと該トップフィルムを切断する手順と、
を更に具備する請求項１に記載の方法。
【請求項１５】  該第１の製品の横に隣接して該ベースフィルム上に第２の製品を供給する手順と、
スライダが取り付けられた状態の第２のジッパーを移動方向において、該第１のジッパーから２つの梱包の深さで離れていてそれに平行な該ベースフィルム上に供給する手順であって、該第２のジッパーが第１のプロファイルと該第１のプロファイルに係合可能な第２のプロファイルとを有しており、該プロファイルの各々はそれに取り付けられていて該スライダから離れて伸張するウェッブを有する、供給する手順と、
該第２のジッパーの第１のプロファイルウェッブを該ベースフィルムにシールし、該第２のプロファイルウェッブを該トップフィルムにシールする手順と、
該第１と第２のジッパー間の実質的に中間で且つ該第１と第２のジッパーに平行なシール線に沿って該ベースフィルムに該トップフィルムをシールする手順と、
該最後に述べたシール線に沿って該ベースフィルムと該トップフィルムを長手方向に切断する手順と、
を更に具備する請求項１に記載の方法。
【請求項１６】  再閉鎖可能な梱包の形成・充填・シールのための装置において、この装置が、
充填ステーションに向かって、更に移動方向において該充填ステーションから離れるようにベースフィルムを移動するための第１の駆動部と、
該ベースフィルム上に製品を設置するための充填ステーションと、
スライダが取り付けられた状態の第１のジッパーを移動方向において、該ベースフィルム上に供給するための第２の駆動部であって、該ジッパーが第１のプロファイルと、該第１のプロファイルに係合可能な第２のプロファイルとを有しており、該プロファイルの各々はそれに取り付けられていて該スライダから離れて伸張するウェッブを有する、第２の駆動部と、
該ベースフィルム上にトップフィルムを適用するための手段と、
該第１のプロファイルウェッブを該ベースフィルムにシールするための第１のシール手段と、
該第２のプロファイルウェッブを該トップフィルムにシールするための第２のシール手段と、
該製品の対向する側部において前記ベースフィルムの移動方向に横の方向で、該ベースフィルムと該トップフィルムを共にクロスシールし、更に該製品を隣接するクロスシール間に捕獲するためのクロスシール手段と、更に
該製品の該対向する側部において、該共にシールされたベースフィルムとトップフィルムを横方向に切断するための切断機と、
を具備する装置。
【請求項１７】  該第２のシール手段は該第１のシール手段の下流にある請求項１６に記載の装置。
【請求項１８】  該ベースフィルム及びトップフィルムは、共通のシートの隣接する部分を具備しており、更に
該ベースフィルム上に該トップフィルムを配置するために及び長手方向に該共通のシートを折りたたむための手段を更に具備する請求項１６に記載の装置。
【請求項１９】  該ジッパーは、該折り目内に配置されており、
更に該対向する長手方向の角部を共にシールして該梱包のための底部を形成する手段を更に具備する請求項１８に記載の装置。
【請求項２０】  該ベースシートは、熱成形材料を具備しており、更に
該ベースフィルムが該充填ステーションに向かって移動する際に、該ベースフィルム内に隣接するポケットを熱成形するための手段を更に具備する請求項１６に記載の装置。
【請求項２１】  スライダ適用機と、
該スライダ適用機に向かってジッパーを供給するための手段と、
該ジッパーの第１と第２のプロファイルを共に、梱包の長さ間隔で押圧するための該スライダ適用機の上流の手段と、更に
該スライダ適用機において、スライダを隣接するストンプ間で該ジッパーに適用するための手段と、
を更に具備する請求項１６に記載の装置。
【請求項２２】  該第１のプロファイルが該ベースフィルムに取り付けられた後で、該第２のプロファイルが該トップフィルムに取り付けられる前に、梱包の長さ間隔の位置において、該第１のプロファイルを該ベースフィルムに対して折り目を入れるための手段を更に具備する請求項１６に記載の装置。
【請求項２３】  前記ジッパーの第１のプロファイルウェッブが前記ベースフィルムに取り付けられた後で、ジッパーの閉鎖位置にスライダを動かすための手段を更に具備する請求項１６に記載の装置。
【手続補正２】
【補正対象書類名】明細書
【補正対象項目名】００１１
【補正方法】変更
【補正の内容】
【００１１】
スライダ３２はジッパー装着ステーション６２でジッパー３０に装着される。図７において、ジッパー装着ステーション６２の第１の実施の形態が示される。図示されるようにジッパー３０は、間欠的にジッパー装着ステーション６２に引き込まれており、そこでは振動ボール（鉢）６６から供給されたスライダ３２はジッパープロファイルに取り付けられる。スライダはジッパーのバッグの長さ間隔で取り付けられる。スライダが取り付けられたジッパーは、その後一連のダンサロール６８内に間欠的に移動されて、更にジッパードライブ２８によりダンサロール装置から連続的に引き抜かれて、梱包フィルムに供給される。図８にジッパー取り付け装置（システム）の第１の修正実施の形態は示されており、そこではジッパー装着ステーションは、それがスライダ３２をジッパー３０に適用する際に、往復動するので、第１の実施の形態の停止−進行動作及びダンサロールの必要性を排除する。図９にジッパー取り付け装置（システム）の第２の実施の形態は示されており、そこではジッパー装着ステーションは、それがスライダ３２を収容する第１の位置と、スライダがジッパーに取り付けられる第２の位置との間で回転する。この配置は、第１の実施の形態の停止−進行動作と同様に、第２の実施の形態の往復動動作を排除する。